(57)【特許請求の範囲】
【請求項１】
デジタル放送のデータ信号を受信するデジタル放送受信手段と、
前記デジタル放送受信手段により受信したデータ信号を画像データにデコードする信号処理手段と、
前記信号処理手段によりデコードされた画像データを表示する表示手段と、
装置本体に電源を供給するバッテリの残容量を検出する残容量検出手段と、
前記受信したデータ信号のデコードに要する消費電力を前記デコードされた画像データの解像度ごとに格納した第１テーブル、装置の動作状態と消費電力との対応関係を格納した第２テーブル、および前記残容量検出手段の検出結果に基づいて、前記デコードされた画像データの解像度ごとに該解像度の番組を視聴する動作状態における稼働可能時間を予測する視聴可能時間予測手段と、
前記視聴可能時間予測手段による予測結果をユーザに通知する通知手段と、
を備える携帯型情報処理装置。
【請求項２】
前記デジタル放送受信手段により受信したデータ信号に含まれる画像データの解像度を判別する画像品質判別手段をさらに備え、
前記視聴可能時間予測手段は、前記第１テーブル、前記第２テーブル、前記残容量検出手段の検出結果、および前記画像品質判別手段の判別結果に基づいて、装置において視聴中の放送番組の視聴可能時間を予測する、請求項１に記載の携帯型情報処理装置。
【請求項３】
前記視聴可能時間予測手段による予測結果に基づいて、前記視聴中の放送番組の視聴可能時間が所定値以下となったときに、前記視聴可能時間を上回る視聴可能時間となる放送番組を視聴する動作状態に変更する電力制御手段をさらに備える、請求項２に記載の携帯型情報処理装置。
【請求項４】
前記画像品質判別手段は、前記信号処理手段によりデコードされた画像データから解像度を判別する、請求項２に記載の携帯型情報処理装置。
【請求項５】
前記画像品質判別手段は、前記デジタル放送受信手段により受信したデータ信号中に含まれる電子番組ガイド情報を参照して視聴中の放送番組の解像度を判別する、請求項２に記載の携帯型情報処理装置。
【請求項６】
前記電力制御手段は、前記デジタル放送受信手段により受信したデータ信号中に含まれる電子番組ガイド情報を参照して各番組の解像度を判別した判別結果と前記視聴可能時間予測手段の予測結果に基づいて、前記視聴中の放送番組の視聴可能時間を上回る視聴可能時間となる放送番組を視聴する動作状態に変更する、請求項３に記載の携帯型情報処理装置。
【請求項７】
前記動作状態には、前記表示手段で表示する際の画面サイズの異なる視聴状態を含む、請求項１に記載の携帯型情報処理装置。
【請求項８】
前記デジタル放送受信手段により受信したデータ信号を格納するデータ蓄積手段を備え、
前記第１テーブルには、前記受信したデータ信号の録画に要する消費電力も前記デコードされた画像データの解像度ごとに格納し、
前記動作状態には前記受信したデータ信号の録画状態を含む、請求項１に記載の携帯型情報処理装置。
【請求項９】
所定の画像データを再生可能なデータ再生手段を備え、
前記動作状態には前記画像データの再生状態を含む、請求項１に記載の携帯型情報処理装置。
【請求項１０】
前記デジタル放送受信手段により受信したデータ信号を蓄積するデータ蓄積手段をさらに備え、前記データ再生手段は前記データ蓄積手段に蓄積されたデータ信号を再生する、請求項９に記載の携帯型情報処理装置。
【発明の詳細な説明】
【０００１】
【発明の属する技術分野】
本発明は、デジタルテレビ放送の受信機能を備えるパーソナルコンピュータやその他の携帯型情報処理装置に関する。
【０００２】
【従来の技術】
近年、テレビ放送の受信機能を搭載したパーソナルコンピュータ（PC）が普及し始めている。現在ではデスクトップパソコンにテレビ機能を搭載するのが一般的となってきているが、２００３年からデジタル地上波放送が開始されると、移動中でも比較的高品質な映像が見れるため、ノートPCなどのモバイル端末にもテレビ機能が搭載されると予測される。
【０００３】
デジタル地上波放送では１チャンネルを１３セグメントに分割し、それらのセグメントを組み合わせることで最大３番組の番組を多重化することが可能である。例えば、SDTV(Standard Definition TV)相当の画像品質（解像度）の番組を３番組同時に放送したり、HDTV(High Definition TV)相当の画像品質の番組を１番組だけ放送するなど、様々なサービスが実施される予定である。
【０００４】
ノートPCにテレビ機能を搭載した例を図７に示す。
ここでは、ノートＰＣ１００は、デジタル地上波放送のデータ信号を受信するためのアンテナ１１０、ＴＶ受信機能部１２０、受信したデータ信号を画像データに復元する信号処理部１３０、画像データを表示するための表示部１４０などを備えている。
【０００５】
ＴＶ受信機能部１２０は、チューナー部１２１、受信した信号を復調してMPEGデータに変換するベースバンド処理部１２２を含んでいる。また、信号処理部１３０には、ＴＶ受信機能部１２０から送出されるMPEGデータを画像データにデコードするためのMPEGデコード部１３１を備えている。
このノートＰＣ１００は、通常のＰＣ機能を果たすためにＣＰＵ、メモリなど機能部品を備えており、ハードディスクなどの記憶媒体ドライブ、ビデオ再生機能部、オーディオ再生機能部などを備えている。
【０００６】
【発明が解決しようとする課題】
このようなノートＰＣ１００において、外出先などでACアダプタを接続しないバッテリ駆動を行っている場合、番組視聴中にバッテリが無くなり視聴不可能になるという問題があった。また、チャンネルによってSDTV、HDTVなど画像品質が異なるため、信号処理部１３０においてデコード処理を行う際の消費電力がチャンネルによって大幅に異なるため、バッテリの残容量による視聴可能な時間を予測するのが困難であった。
【０００７】
本発明では、ノートパソコンなどのバッテリ駆動が可能であり、かつデジタル放送を受信可能な携帯型情報処理装置において、デジタル放送の受信状態に応じて視聴可能な時間を予測し、最適な動作状態を設定可能にすることを目的とする。
【０００８】
本発明に係る携帯型情報処理装置は、デジタル放送のデータ信号を受信するデジタル放送受信手段と、デジタル放送受信手段により受信したデータ信号を画像データにデコードする信号処理手段と、信号処理手段によりデコードされた画像データを表示する表示手段と、装置本体に電源を供給するバッテリの残容量を検出する残容量検出手段と、受信したデータ信号のデコードに要する消費電力をデコードされた画像データの解像度ごとに格納した第１テーブル、装置の動作状態と消費電力との対応関係を格納した第２テーブル、および残容量検出手段の検出結果に基づいて、デコードされた画像データの解像度ごとにこの解像度の番組を視聴する動作状態における可動可能時間を予測する視聴可能時間予測手段と、視聴可能時間予測手段による予測結果をユーザに通知する通知手段とを備える。
【０００９】
ここで、デジタル放送受信手段により受信したデータ信号に含まれる画像データの解像度を判別する画像品質判別手段をさらに備え、視聴可能時間予測手段が、第１テーブル、第２テーブル、残容量検出手段の検出結果、および画像品質判別手段の判別結果に基づいて、この装置で視聴中の放送番組の視聴可能時間を予測するように構成することができる。
また、視聴可能時間予測手段による予測結果に基づいて、視聴中の放送番組の視聴可能時間が所定値以下となったときに、この視聴可能時間を上回る視聴可能時間となる放送番組を視聴する動作状態に変更する電力制御手段をさらに備える構成とすることができる。
【００１０】
さらに、画像品質判別手段は、信号処理手段によりデコードされた画像データから解像度を判別するように構成できる。
また、画像品質判別手段が、デジタル放送受信手段により受信したデータ信号中に含まれる電子番組ガイド情報を参照して視聴中の放送番組の解像度を判別するように構成できる。
【００１１】
ここで、電力制御手段が、デジタル放送受信手段により受信したデータ信号中に含まれる電子番組ガイド情報を参照して各番組の解像度を判別した判別結果と視聴可能時間予測手段の予測結果に基づいて、視聴中の放送番組の視聴可能時間を上回る視聴可能時間となる放送番組を視聴する動作状態に変更するように構成できる。
また、動作状態には、表示手段で表示する際の画面サイズの異なる視聴状態を含むように構成できる。
【００１２】
さらに、デジタル放送受信手段により受信したデータ信号を格納するデータ蓄積手段を備え、第１テーブルには、受信したデータ信号の録画に要する消費電力もデコードされた画像データの解像度ごとに格納し、動作状態には受信したデータ信号の録画状態を含むように構成できる。
【００１３】
また、所定の画像データを再生可能なデータ再生手段を備え、動作状態には画像データの再生状態を含むように構成できる。
【００１４】
さらに、デジタル放送受信手段により受信したデータ信号を蓄積するデータ蓄積手段をさらに備え、データ再生手段はデータ蓄積手段に蓄積されたデータ信号を再生するように構成できる。
【００１５】
【発明の実施の形態】
〔概略構成〕
本発明に係る携帯型情報処理装置についてその原理構成を示すブロック図を図１に示す。
情報処理装置１は、デジタル地上波放送によるデータ信号を受信するためのアンテナ２および地上デジタルテレビ放送受信手段３を備えている。地上デジタルテレビ放送受信手段３は、チューナー部や復調部などを備えており、受信する変調波をMPEGデータに復調する。
【００１６】
また、情報処理装置１は、地上デジタルテレビ放送受信手段３により受信したデータ信号を画像データに変換するための信号処理手段４を備えている。信号処理手段４はMPEGデコード部を備えており、MPEGデータ内に含まれる音声データと画像データとを復元する。
情報処理装置１は、さらに信号処理手段４で復元された画像データを表示するための表示手段５を備えている。この表示手段５として、液晶表示パネルやプラズマディスプレイなどのフラットパネル表示装置を用いることができる。
【００１７】
情報処理装置１は、さらに、受信したデータ信号から画像品質を判別するための番組画像品質判別手段６、画像品質に基づいて視聴可能時間を予測するための視聴可能時間予測手段７および予測される視聴可能時間に基づいて電力制御を行うための電力制御手段８を備えている。
番組画像品質判別手段６は、たとえば、受信したデータ信号に含まれる電子番組ガイド（EPG）情報から、この番組の画像品質を判別するように構成できる。視聴可能時間予測手段７は、バッテリの残容量と受信している番組の画像品質情報から視聴可能時間を演算による判定する。電力制御手段８は、求められた視聴可能時間に基づいて電力制御を行うものであり、たとえば、視聴可能時間が所定値以下であると判断される場合に、低品質画像の番組を受信するよに切り換えたり、消費電力が小さくなるように動作状態を変更する。
【００１８】
〔第１実施形態〕
本発明の第１実施形態が採用される携帯型情報処理装置を図２に示す。ここでは、ノートＰＣ１０内にテレビ放送を受信するための地上デジタルテレビ受信用モジュール１２を搭載した例を示す。
ノートＰＣ１０には、デジタル地上波放送によるデータ信号を受信するためのアンテナ１１およびＴＶ受信機能部１２を備えている。ＴＶ受信機能部１２は、チューナー部１３とベースバンド処理部１４を備えており、受信する変調波をMPEGデータに復調する。
【００１９】
ＴＶ受信機能部１２によって復調されたMPEGデータは、信号処理を実行するＰＣ機能部２０に送出される。
ＰＣ機能部２０は、MPEGデータを画像データに復元するMPEGデコード部２１と、受信したデータ信号の画像品質を判別する画像品質判別部３１、視聴可能時間予測部３２、電力制御部３７、チャンネル制御部３８などを備えている。
【００２０】
MPEGデコード部２１は、MPEGトランスポート・ストリーム（MPEG-TSデータ）を音声情報と映像情報に分離するTSマルチプレクサ２２、分離された情報のうち音声情報をデコードするための音声デコーダ２３、映像情報をデコードするための映像デコーダ２４を備えている。音声デコーダ２３で復号化された音声データがスピーカ４１を介して出力され、映像デコーダ２４で復号化された映像データは液晶パネルなどの表示部４２に表示される。また、MPEGデコード部２１では、MPEG-TSデータに多重化されている電子番組ガイド（EPG）情報を抽出して画像品質判別部３１に入力する。
【００２１】
画像品質判別部３１は、MPEGデコード部２１から送出されるEPG情報に基づいて、受信した番組の画像品質がSDTV相当の画像品質であるか、HDTV相当の画像品質であるかを判別するものである。画像品質判別部３１によって判別された画像品質情報は視聴可能時間予測部３２に入力される。
視聴可能時間予測部３２は、バッテリの残容量を取得する電池残量情報取得部３３と視聴可能時間計算部３４とを備えている。視聴可能時間計算部３４は、画像品質判別部３１から入力される画像品質情報と、電池残量情報取得部３３により取得したバッテリの残容量情報とに基づいて、現在受信している番組の視聴可能時間を計算するものであり、SDTV相当の画像品質である場合、HDTV相当の画像品質である場合のそれぞれについて、デコードするのに要する消費電力をあらかじめ第１テーブル３５として格納しておき、この第１テーブル３５を参照して視聴可能時間を特定するように構成できる。視聴可能時間計算部３４で計算された視聴可能時間情報は電力制御部３７に送出される。
【００２２】
電力制御部３７は、視聴可能時間予測部３２から入力される視聴可能時間情報に基づいて、消費電力が小さくなるように制御信号を生成するものであって、たとえば、受信しているデータ信号の画像品質が高い場合に、視聴可能時間が所定値以下となった場合に、画像品質の低いチャンネルに切り換えるためのチャンネル変更要求を出力するように構成できる。
【００２３】
チャンネル制御部３８が、電力制御部３７から入力されるチャンネル変更要求に基づいてチャンネル制御信号を生成し、ＴＶ受信機能部１２による受信チャンネルを切換制御する。
この第１実施形態における動作を図３のフローチャートに示す。
ステップＳ１１は初期状態であり、ノートＰＣ１０の電源が入っており、ＴＶ受信機能部１２の電源がオフした状態である。
【００２４】
ステップＳ１２では、ノートＰＣ１０上のアプリケーションからテレビ受信用のソフトが起動されたか否かを判別する。テレビ受信用ソフトが起動されたと判断した場合にはステップＳ１３に移行する。
ステップＳ１３では、ＴＶ受信機能部１２の電源をオン状態とし、受信したデータ信号の復調処理を行ってMPEGデータを出力する。
【００２５】
ステップＳ１４では、MPEGデータに多重化して送られてくるEPG情報をMPEGデコード部２１で抽出し、画像品質判別部３１においてEPG情報から画像品質を判別する。たとえば、地上デジタル放送では、SDTV相当の画像品質の番組、HDTV相当の画像品質の番組など画像品質の異なる番組が放送されており、EPG情報の中に画像品質情報が含まれているので、EPG情報を分析することにより画像品質を判別することが可能である。画像品質判別部３１により判別された画像品質情報は視聴可能時間予測部３２に送信される。
【００２６】
ステップＳ１５では、画像品質判別部３１により判別された画像品質情報と、バッテリの残容量に基づいて、現在受信している番組を継続して視聴することが可能な時間を予測する。ここでは、SDTVおよびHDTVの画像品質のデータ信号をそれぞれMPEGデコード部２１でデコードするのに要する消費電力を第１テーブル３５として備えている。
【００２７】
また、システムの動作状態によって消費電力が変わるので、各動作状態における消費電力を第２テーブル３６に格納しておく。たとえば、受信した画像を表示する画面サイズを変更するだけでも消費電力が変わってくるので、動作状態と消費電力との対応関係を第２テーブル３６に格納しておく。
ノートＰＣなどのバッテリ駆動が可能な装置では、バッテリの残容量を検出してユーザに知らせる機能を備えているのが一般的である。視聴可能時間予測部３２では、第１テーブル３５、第２テーブル３６およびバッテリの残容量から、各画像品質の番組を視聴した場合に何時間視聴することが可能かを計算する。
【００２８】
たとえば、バッテリ残容量が1000mAhであり、画像品質がSDTVの番組を視聴するのに必要な消費電力が100mA、画像品質がHDTVの番組を視聴するのに必要な消費電力が400mA、システムの消費電力が100mAとすると、SDTVの番組を視聴するためには１時間あたり200mAの電力を要するため５時間の視聴が可能であり、HDTVの番組を視聴するためには１時間あたり500mAの電力を要するので２時間の視聴が可能である。
【００２９】
視聴可能時間予測部３２で生成される視聴可能時間情報は、電力制御部３７に送出される。電力制御部３７では、HDTVの番組を視聴している間に視聴可能時間情報が所定値以下になった場合に、チャネル変更要求を送出する。ステップＳ１６において、チャンネル変更要求があったと判断した場合にはステップＳ１７に移行し、チャンネル変更要求がないと判断した場合にはステップＳ１８に移行する。
【００３０】
ステップＳ１７では、チャンネル制御部３８によりチャネルを変更するようにＴＶ受信機能部１２に通知を行い、ＴＶ受信機能部１２がチャンネル変更を行う。
ステップＳ１８では、MPEGデータをデコード処理してスピーカ部４１および表示部４２を介して出力を行う。
【００３１】
ステップＳ１９では、テレビ受信用ソフトの終了処理が指示されたか否かを判別する。ＴＶ受信用ソフトの終了処理が指示された場合にはステップＳ２０に移行し、ＴＶ受信用ソフトの終了処理が指示されていない場合にはステップＳ１４に移行する。ステップＳ２０では、ＴＶ受信機能部１２の電源をオフ状態とする。
【００３２】
このようにして、ＴＶ受信機能部１２を搭載したノートＰＣ１０において、番組の画像品質（解像度）を判別する画像品質判別部３１、その画像品質の番組を視聴するのに必要な消費電力とバッテリ残容量から残り視聴可能時間を計算する視聴可能時間予測部３２、残り時間が少ない場合に消費電力を下げるための電力制御部３７を設けることで、バッテリ駆動であってもより長時間視聴が可能となる。図３のフローチャート中に図示していないが、一定時間毎に画像品質判別、消費電力予測、視聴可能時間計算、チャンネル変更の動作を行うことで、より効果的である。
【００３３】
上述したように、周期的にMPEGデータに多重化されて送られてくるEPG（電子番組ガイド）情報を用いて画像品質判別部３１が画像品質を判別するように構成することもできるが、現在表示部４２に表示されている映像データから直接解読して判別することも可能である。
また、EPG情報中には全チャンネルの番組情報が含まれているため、これを用いて新聞のテレビ欄のような一覧表示を行うことが可能である。したがって、SDTV、HDTVの各番組を視聴した場合の視聴可能時間を同時に表示して、ユーザに通知することで、ユーザに消費電力および視聴可能時間を認識させることができる。この場合の表示の一例を図４に示す。ここでは、各時間帯に対応するチャンネル毎の番組内容とSDTVであるかHDTVであるかを一覧表示し、現在のバッテリの残容量によりSDTV、HDTVのそれぞれの視聴可能時間を欄外に表示している。ユーザは、この表示を参照してバッテリの残容量に応じた番組視聴の計画を行うことができ、番組の途中でバッテリ切れとなることを防止できる。また、EPG情報を参照して視聴時間が長くなるように自動的に番組視聴計画を立てることも可能である。
【００３４】
〔第２実施形態〕
本発明の第２実施形態が採用される携帯型情報処理装置の制御ブロック図を図５に示す。ここでは、第１実施形態と同様に、ノートＰＣ１０内にテレビ放送を受信するための地上デジタルテレビ受信用モジュール１２を搭載した例を示す。
ノートＰＣ１０には、デジタル地上波放送によるデータ信号を受信するためのアンテナ１１およびＴＶ受信機能部１２を備えている。ＴＶ受信機能部１２は、チューナー部１３とベースバンド処理部１４を備えており、受信する変調波をMPEGデータに復調する。
【００３５】
ＴＶ受信機能部１２によって復調されたMPEGデータは、信号処理を実行するＰＣ機能部２０に送出される。
ＰＣ機能部２０は、MPEGデータを画像データに復元するMPEGデコード部２１と、受信したデータ信号の画像品質を判別する画像品質判別部３１、視聴可能時間予測部３２、電力制御部３７、チャンネル制御部３８などを備えている。
【００３６】
MPEGデコード部２１は、MPEGトランスポート・ストリーム（MPEG-TSデータ）を音声情報と映像情報に分離するTSマルチプレクサ２２、分離された情報のうち音声情報をデコードするための音声デコーダ２３、映像情報をデコードするための映像デコーダ２４を備えている。音声デコーダ２３で復号化された音声データがスピーカ４１を介して出力され、映像デコーダ２４で復号化された映像データは液晶パネルなどの表示部４２に表示される。また、MPEGデコード部２１では、MPEG-TSデータに多重化されている電子番組ガイド（EPG）情報を抽出して画像品質判別部３１に入力する。
【００３７】
画像品質判別部３１は、MPEGデコード部２１から送出されるEPG情報に基づいて、受信した番組の画像品質がSDTV相当の画像品質であるか、HDTV相当の画像品質であるかを判別するものである。画像品質判別部３１によって判別された画像品質情報は視聴可能時間予測部３２に入力される。
視聴可能時間予測部３２は、バッテリの残容量を取得する電池残量情報取得部３３と視聴可能時間計算部３４とを備えている。視聴可能時間計算部３４は、画像品質判別部３１から入力される画像品質情報と、電池残量情報取得部３３により取得したバッテリの残容量情報とに基づいて、現在受信している番組の視聴可能時間を計算するものである。SDTV相当の画像品質である場合、HDTV相当の画像品質である場合のそれぞれについて、デコードするのに要する消費電力をあらかじめ第１テーブル３５として格納しておく。また、装置の動作状態に基づく消費電力を第２テーブル３６として格納しておく。視聴可能時間予測部３２は、この第１テーブル３５および第２テーブル３６を参照して、現在のバッテリの残容量から視聴可能時間を特定する。視聴可能時間計算部３４で計算された視聴可能時間情報は電力制御部３７に送出される。
【００３８】
電力制御部３７は、視聴可能時間予測部３２から入力される視聴可能時間情報に基づいて、消費電力が小さくなるように制御信号を生成するものであって、たとえば、視聴可能時間が所定値以下となった場合に、消費電力の少ない録画処理に切り換える録画切換要求を出力するように構成できる。
ノートＰＣ１０には、MPEGデータを含む各種データを格納可能なハードディスクドライブ（HDD）４３を備えている。ＴＶ受信機能部１２からのMPEG-TSデータは、スイッチ５１を介してMPEGデコード部２１とHDD４３のいずれかに入力されるように構成されている。電力制御部３７からの録画切換要求に基づいてスイッチ５１を切り換えることにより、バッテリの残容量が少ない場合に、消費電力の少ない録画処理を行うように構成できる。
【００３９】
この第２実施形態における動作を図３のフローチャートに示す。
ステップＳ３１は初期状態であり、ノートＰＣ１０の電源が入っており、ＴＶ受信機能部１２の電源がオフした状態である。
ステップＳ３２では、ノートＰＣ１０上のアプリケーションからテレビ受信用のソフトが起動されたか否かを判別する。テレビ受信用ソフトが起動されたと判断した場合にはステップＳ３３に移行する。
【００４０】
ステップＳ３３では、ＴＶ受信機能部１２の電源をオン状態とし、受信したデータ信号の復調処理を行ってMPEGデータを出力する。
ステップＳ３４では、MPEGデータに多重化して送られてくるEPG情報をMPEGデコード部２１で抽出し、画像品質判別部３１においてEPG情報から画像品質を判別する。たとえば、地上デジタル放送では、SDTV相当の画像品質の番組、HDTV相当の画像品質の番組など画像品質の異なる番組が放送されており、EPG情報の中に画像品質情報が含まれているので、EPG情報を分析することにより画像品質を判別することが可能である。画像品質判別部３１により判別された画像品質情報は視聴可能時間予測部３２に送信される。
【００４１】
ステップＳ３５では、画像品質判別部３１により判別された画像品質情報と、バッテリの残容量に基づいて、現在受信している番組を継続して視聴することが可能な時間を予測する。ここでは、SDTVおよびHDTVの画像品質のデータ信号をそれぞれMPEGデコード部２１でデコードするのに要する消費電力、SDTVおよびHDTVの画像品質のデータ信号をそれぞれHDD４３に録画するために必要な消費電力を第１テーブル３５として備えている。
【００４２】
また、システムの動作状態によって消費電力が変わるので、各動作状態における消費電力を第２テーブル３６に格納しておく。たとえば、受信した画像を表示する画面サイズを変更するだけでも消費電力が変わってくるので、動作状態と消費電力との対応関係を第２テーブル３６に格納しておく。
ノートＰＣなどのバッテリ駆動が可能な装置では、バッテリの残容量を検出してユーザに知らせる機能を備えているのが一般的である。視聴可能時間予測部３２では、第１テーブル３５、第２テーブル３６およびバッテリの残容量から、各画像品質の番組を視聴した場合に何時間視聴することが可能か、HDD４３に録画処理を行った場合の視聴可能時間および録画可能時間をそれぞれ計算する。
【００４３】
たとえば、バッテリ残容量が1000mAhであり、画像品質がSDTVの番組を視聴するのに必要な消費電力が100mA、画像品質がHDTVの番組を視聴するのに必要な消費電力が400mA、画像品質がSDTVの番組を録画するのに必要な消費電力が50mA、画像品質がHDTVの番組を録画するのに必要な消費電力が200mA、標準状態のシステムの消費電力が100mAとすると、SDTVの番組を視聴するためには１時間あたり200mAの電力を要するため５時間の視聴が可能であり、HDTVの番組を視聴するためには１時間あたり500mAの電力を要するので２時間の視聴が可能である。また、録画可能時間は、画像品質がSDTVの番組の場合では１時間あたりの消費電力が150mAであるため6.7時間の録画が可能であり、画像品質がHDTVの番組の場合では１時間あたりの消費電力が300mAであるため3.3時間の録画が可能である。
【００４４】
視聴可能時間予測部３２で生成される視聴可能時間情報および録画可能時間情報は、電力制御部３７に送出される。電力制御部３７では、HDTVの番組を視聴している間に視聴可能時間情報が所定値以下になった場合に、録画切換要求を送出する。ステップＳ３６において、録画切換要求があったと判断した場合にはステップＳ３８に移行し、録画切換要求がないと判断した場合にはステップＳ３７に移行する。
【００４５】
ステップＳ３７では、MPEGデータをデコード処理してスピーカ部４１および表示部４２を介して出力を行う。
ステップＳ３８では、スイッチ５１をHDD４３側に切り換えて、MPEG-TSデータをデコードせずにそのままHDD４３に蓄積する録画処理を実行する。
ステップＳ３９では、テレビ受信用ソフトの終了処理が指示されたか否かを判別する。ＴＶ受信用ソフトの終了処理が指示された場合にはステップＳ４０に移行し、ＴＶ受信用ソフトの終了処理が指示されていない場合にはステップＳ３４に移行する。ステップＳ４０では、ＴＶ受信機能部１２の電源をオフ状態とする。
【００４６】
このようにして、視聴可能時間が短くなった場合に、HDD４３への録画処理に切り換えることによって、MPEGデコード部２１のパワーをオフすることができるため、消費電力を改善することができる。このことは、一定時間毎に画像品質判別、消費電力予測、視聴可能時間計算、録画切換の動作を行うことで、より効果的となる。
【００４７】
また、バッテリの残容量が少なくなった場合に、あらかじめHDD４３に録画されている番組を見るように構成することで、ＴＶ受信機能部１２の電源をオフすることができ、消費電力を少なくすることが可能となる。
【００４８】
【発明の効果】
本発明によれば、バッテリ駆動の携帯型情報処理装置においてデジタル放送を受信中に、バッテリ切れを起こすことがなくなる。
【図面の簡単な説明】
【図１】本発明の原理を示す概略構成図。
【図２】第１実施形態の制御ブロック図。
【図３】そのフローチャート。
【図４】視聴可能時間の表示例の説明図。
【図５】第２実施形態の制御ブロック図。
【図６】そのフローチャート。
【図７】従来技術の制御ブロック図。
【図１】
0003779215.tif 000002
【図２】
0003779215.tif 000003
【図３】
0003779215.tif 000004
【図４】
0003779215.tif 000005
【図５】
0003779215.tif 000006
【図６】
0003779215.tif 000007
【図７】
0003779215.tif 000008